(57)【要約】【課題】ケース部の内周面とヒータとが当接した状態を長期にわたって維持できて、外周面における温度分布にばらつきが発生せず、従来よりも長寿命な電熱ロッドを提供することを課題とする。【解決手段】ケース部１とヒータ部２とずれ止め部３とを備え、ケース部１は中空の円筒状体であり、ヒータ部２は通電することにより発熱する発熱体２１を有し、かつ、このヒータ部２は平面状のものであって、一方端部２ａと他方端部２ａとを近接させて筒状とし、この筒状としたヒータ部２をケース部１に配位したものであり、その際ずれ止め部３は、ヒータ部２の各端部２ａ，２ａに一致するようにして配位されたものであり、これにより、ヒータ部２の一方端部２ａと他方端部２ａの位置関係を一定に保持可能であるパーマネント用電熱ロッドを提供する。【選択図】          図２
2005000402.tif 000002
【特許請求の範囲】
【請求項１】
被施術者の頭髪に巻き付けてパーマネントウェーブ処理を行うために用いられるパーマネント用電熱ロッドにおいて、
ケース部（１）とヒータ部（２）とずれ止め部（３）とを備え、
ケース部（１）は中空の円筒状体であり、
ヒータ部（２）は通電することにより発熱する発熱体（２１）を有し、
かつ、このヒータ部（２）は、湾曲可能な平面状のものであって、一方端部（２ａ）と他方端部（２ａ）とを近接させて筒状とし、この筒状としたヒータ部（２）をケース部（１）の内部に配位したものであり、
ずれ止め部（３）は、発熱体（２１）が重なり合わないように、ヒータ部（２）がケース部（１）の内周面（１２）に沿うように配位された際に、ヒータ部（２）の一方端部（２ａ）と他方端部（２ａ）とに一致するようにして配位されたものであり、
これにより、ヒータ部（２）の一方端部（２ａ）と他方端部（２ａ）の位置関係を一定に保持可能であることを特徴とする、パーマネント用電熱ロッド。
【請求項２】
ずれ止め部（３）が、ヒータ部（２）の内面側に形成された突起であることを特徴とする、請求項１に記載のパーマネント用電熱ロッド。
【請求項３】
ずれ止め部（３）が、ヒータ部（２）の一方端部（２ａ）及び他方端部（２ａ）を、それぞれ内面側へと折り曲げて形成された部分であり、ヒータ部（２）をケース部（１）の内部に配位した際において、各端部（２ａ，２ａ）におけるずれ止め部（３，３）同士が当接することを特徴とする、請求項２に記載のパーマネント用電熱ロッド。
【請求項４】
ずれ止め部（３）が、ケース部（１）の内周面（１２）に形成された突起であることを特徴とする、請求項１に記載のパーマネント用電熱ロッド。
【請求項５】
ずれ止め部（３）が、ケース部（１）とヒータ部（２）のそれぞれから独立した部材であって、ヒータ部（２）の一方端部（２ａ）と他方端部（２ａ）にそれぞれ当接するものであることを特徴とする、請求項１に記載のパーマネント用電熱ロッド。
【発明の詳細な説明】
【０００１】
【発明の属する技術分野】
本願発明は、美容室などにおけるパーマの施術時に使用する、ヒータを内蔵したパーマネント用電熱ロッドに関するものである。
【０００２】
【従来の技術】
本願出願人は、本明細書に記載すべき先行技術文献情報を持たない。
【０００３】
従来より美容室などで行われているパーマ、即ち、パーマネントウェーブ処理において、パーマネント用電熱ロッド（以下、電熱ロッドと記す）を用いるものがある。
この電熱ロッドは、電源接続時に発熱する発熱部材を内蔵するものであり、この電熱ロッドに、カーリング剤を塗布した状態の頭髪を巻き付けた後、電熱ロッドを発熱させることにより、頭髪にウェーブを形成することができる。
【０００４】
この電熱ロッドは、中空の円筒状体であるケース部１０１に、発熱部材であるヒータ１０２を内蔵したものである。このヒータ１０２には種々のものが採用されているが、その一例として平面状のヒータ１０２が用いられる場合がある。この平面状のヒータ１０２をケース部１０１に配位する際には、図４（Ａ）に示すように、このヒータ１０２を筒状に丸めた状態でケース部１０１の内周面１１２に沿って当接させる。そして、ケース部１０１の両端面に蓋（図示しない）を取り付けることによって、電熱ロッドを完成させる。
【０００５】
この従来の電熱ロッドにおいて、ケース部１０１とヒータ部１０２とは接着剤などで固定されていたわけではなく、ヒータ１０２を単に筒状に丸めた状態において、ヒータ１０２が平面状に戻ろうとする復元力により、ケース部１０１の内周面１１２に沿って当接させていた。このようにしてヒータ１０２がケース部１０１の内周面１１２に密着した状態におかれるため、ヒータ１０２から発生する熱をケース部１０１に有効に伝達させることができる。
ところが、経年変化によりヒータ１０２の有していた上記の復元力が低下した場合、ヒータ１０２の一方端部１０２ａと他方端部１０２ａとの位置関係が、図４（Ａ）に示した状態からずれ、図４（Ｂ）に示すように、ヒータ１０２の一部がケース部１０１の内周面１１２から離れてしまう場合があった。こうなると、ヒータ１０２とケース部１０１との間にできた空間でヒータ１０２から発生する熱が放散してしまい、電熱ロッドの外周面における温度分布にばらつきが発生する。あるいは、ヒータ１０２において発熱する部分同士が重なり合い、その部分の外周面だけが高温となる場合もある。これらにより、パーマの仕上がりが均一にならなくなるため、このようにヒータ１０２の変形した電熱ロッドは廃棄せざるを得ないという問題があった。
【０００６】
【発明が解決しようとする課題】
本願発明は、上記従来の問題点を解決するために発明されたものであり、ケース部の内周面とヒータとが当接した状態を長期にわたって維持することができ、これにより外周面における温度分布にばらつきが発生せず、従来よりも長寿命な電熱ロッドを提供することを課題とする。
【０００７】
【課題を解決するための手段】
上記の課題を解決するために、本願の請求項１に記載の発明は、被施術者の頭髪に巻き付けてパーマネントウェーブ処理を行うために用いられるパーマネント用電熱ロッドにおいて、ケース部１とヒータ部２とずれ止め部３とを備え、ケース部１は中空の円筒状体であり、ヒータ部２は通電することにより発熱する発熱体２１を有し、かつ、このヒータ部２は、湾曲可能な平面状のものであって、一方端部２ａと他方端部２ａとを近接させて筒状とし、この筒状としたヒータ部２をケース部１の内部に配位したものであり、ずれ止め部３は、発熱体２１が重なり合わないように、ヒータ部２がケース部１の内周面１２に沿うように配位された際に、ヒータ部２の一方端部２ａと他方端部２ａとに一致するようにして配位されたものであり、これにより、ヒータ部２の一方端部２ａと他方端部２ａの位置関係を一定に保持可能であることを特徴とする、パーマネント用電熱ロッドを提供する。
ここで、ヒータ部２における「端部」とは、ヒータ部２において、端辺と、端辺の周囲であって、発熱体２１の設けられていない部分も含む。また、「ずれ止め部３がヒータ部２の一方端部２ａと他方端部２ａとに一致する」とは、各端部２ａ，２ａとは独立したずれ止め部３が存在する場合と、各端部２ａ，２ａがずれ止め部３を兼ねる場合の両方を含む。
【０００８】
また、本願の請求項２に記載の発明は、ずれ止め部３が、ヒータ部２の内面側に形成された突起であることを特徴とする、請求項１に記載のパーマネント用電熱ロッドを提供する。
【０００９】
また、本願の請求項３に記載の発明は、ずれ止め部３が、ヒータ部２の一方端部２ａ及び他方端部２ａを、それぞれ内面側へと折り曲げて形成された部分であり、ヒータ部２をケース部１の内部に配位した際において、各端部２ａ，２ａにおけるずれ止め部３，３同士が当接することを特徴とする、請求項２に記載のパーマネント用電熱ロッドを提供する。
【００１０】
また、本願の請求項４に記載の発明は、ずれ止め部３が、ケース部１の内周面１２に形成された突起であることを特徴とする、請求項１に記載のパーマネント用電熱ロッドを提供する。
【００１１】
また、本願の請求項５に記載の発明は、ずれ止め部３が、ケース部１とヒータ部２のそれぞれから独立した部材であって、ヒータ部２の一方端部２ａと他方端部２ａにそれぞれ当接するものであることを特徴とする、請求項１に記載のパーマネント用電熱ロッドを提供する。
【００１２】
本願発明は、ずれ止め部３を形成することにより、ヒータ部２の一方端部２ａの位置と他方端部２ａの位置との関係を一定に保持でき、ケース部１の内周面１２とヒータ部２とが当接した状態を長期にわたって維持することができる。これにより外周面における温度分布にばらつきが発生せず、従来よりも長寿命な電熱ロッドを提供することができる。
【００１３】
【発明の実施の形態】
以下、図面に基づき本願発明の実施の形態を説明する。
図１は、本願発明の実施の形態の一例に係る電熱ロッドの分解斜視図であり、図２（Ａ）は、本例における電熱ロッドの断面視の説明図であり、図２（Ｂ）は、本例の電熱ロッドに用いるヒータ部の斜視図である。
【００１４】
本例における電熱ロッドは、ケース部１とヒータ部２とずれ止め部３とを備えるものであり、これらは図１に示すように組み合わされる。
【００１５】
ケース部１は、両端面が開放された中空の円筒状体であって、本例においては樹脂製である。このケース部１の外周面１１に対して、パーマの被施術者の頭髪が巻き付けられる。そして、ケース部１の内周面１２は、後述するように筒状に丸めた状態のヒータ部２が当接する部分であり、ヒータ部２の発熱体２１から発生する熱が有効にケース部１に伝達されるように、ヒータ部２、特に発熱体２１に対して、間隔ができずに密着可能な程度に滑らかな面が形成されている。
ケース部１の寸法については、外周面１１に巻き付ける頭髪の量や、目的とするパーマの種類により種々の長さや直径を有するもので実施が可能である。また、本例においては単純な円筒形状の外観を有するものとしたが、これに限られるものではなく、例えば外周面１１において、中間部分の直径を絞り、断面形状を放物面とするなど、ヒータ部２との密着を条件として、種々の形態に変更して実施しても良い。
このケース部１は、後述するように、内部にヒータ部２を配位した後に、両端面に蓋部４を、超音波溶着などの手段で取り付けることにより閉鎖される。また、ケース部１の両端部分には、切欠部１３が形成されており、この切欠部１３には、頭髪を電熱ロッドに巻いた状態で固定するためのリング状のゴムを掛けることができる。
【００１６】
ヒータ部２は、図２（Ｂ）に示すように、湾曲可能な平面状のものであり、図示左右方向の両端部２ａ，２ａが折り曲げられている。この折り曲げられた部分が、本例においてはずれ止め部３となる。なお、このずれ止め部３の作用については後述する。
このヒータ部２には、通電することにより発熱する発熱体２１が組み込まれており、この発熱体２１には電線２２が接続されている。なお、図示していないが、この電線２２は、図１に示されるようにしてケース部１の端面に取り付けられる蓋部４のうち一方側に設けられるソケットに接続される。そして、このソケットと、電熱ロッドの外部に設けられた電源とが接続され、電源から電熱ロッドに対して電力が供給される。
ケース部１に対してヒータ部２を取り付けるには、平面状のヒータ部２を、図２（Ｂ）に図示した矢印方向に丸め、両端部２ａ，２ａに形成されたずれ止め部３，３同士が当接するようにし、図１に示すように筒状とする。この筒状に変形されたヒータ部２を、図２（Ａ）に示すようにケース部１の内部に配位する。なおこの際、発熱体２１同士は重ならないようにする。
【００１７】
ずれ止め部３は、本例において、図２（Ｂ）に示すように、ヒータ部２の一方端部２ａと他方端部２ａとをそれぞれ折り曲げ、立ち上げて形成した部分である。本例においては、発熱体２１の存在しない部分である各端部２ａ，２ａがそれぞれ直角方向に折り曲げられたものである。そして、この折り曲げの方向は、ヒータ部２をケース部１の内部に配位した場合において、図２（Ａ）に示すように、ケース部１の内側に突出する方向（内面側）である。
そして、ヒータ部２をケース部１の内部に配位する際においては、図２（Ａ）に示すように、ヒータ部２の両端部２ａ，２ａにそれぞれ形成されたずれ止め部３，３同士が当接するようにして配位される。これにより、従来と同様、筒状に変形されたヒータ２が平面状に戻ろうとする復元力により、ヒータ部２がケース部１の内周面１２に沿って密着するように当接し、またこれに加え、ずれ止め部３，３が突っ張りあうために、ヒータ部２の両端部２ａ，２ａの位置関係を一定に保持することができ、従来（図４（Ｂ）に図示）のように、ヒータ２の一部がケース部１の内周面１２から離れてしまうことがないため、外周面における温度分布にばらつきが発生せず、長寿命な電熱ロッドとできる。
【００１８】
ヒータ部２にずれ止め部３を形成する場合において、ずれ止め部３の形態は、図２（Ｂ）に示したものに限られず、種々に変更して実施できる。例えば、棒状体など、ヒータ２とは異種の部材を各端部２ａ，２ａに取り付けても良い。また、図３（Ｃ）に示すように、ヒータ部２の一方端部２ａにのみ、内面側に突出する突起であるずれ止め部３を設け、ヒータ部２をケース部１に配位する際には、図示のように一方端部２ａと他方端部２ａとを一部重ね、このずれ止め部３に他方端部２ａを当接させるようにしても良い。また、本例においては、図２（Ｂ）に示したように、図示手前側から奥側までの全範囲において折り曲げ、立ち上げたものとしているが、これに限られるものではなく、部分的に折り曲げるなどして、間欠的にずれ止め部３を形成しても良い。
【００１９】
また、本例においては、ヒータ部２の両端部２ａ，２ａがずれ止め部３を兼ねるものであったが、本願発明はこれに限定されるものではなく、例えば下記のように種々の形態に変更して実施が可能である。
図３（Ａ）に示したものは、ずれ止め部３をケース部１に形成したものである。具体的には、ずれ止め部３をケース部の内周面１２から内面側に突出するような突起として形成したものであり、図示のように、この突起状のずれ止め部３の側面にヒータ部２の両端部２ａ，２ａを当接させることにより、両端部２ａ，２ａ同士の位置関係を一定に保持するものである。
また、図３（Ｂ）に示したものは、ずれ止め部３をケース部１やヒータ部２とは独立した部材として形成したものである。具体的には、ずれ止め部３を断面Ｈ形の棒状に形成したものであり、ケース部１の内部に配位したヒータ部２の両端部２ａ，２ａ間に、この断面Ｈ形のずれ止め部３を沿わせるように配位させるものであり、これにより両端部２ａ，２ａ同士の位置関係を一定に保持することができる。
つまり、本願発明におけるずれ止め部３は、ケース部１の内部に配位された、ヒータ部２の一方端部２ａと他方端部２ａとを近接（必ずしも当接する必要はない）させた状態で、各端部２ａ，２ａの位置関係を一定に保持できるものであれば、形態や取り付け方法など、種々に変更して実施することが可能である。
【００２０】
ここで参考までに、上記に説明した構造の電熱ロッドを利用してパーマを施す方法を説明する。この方法は、電熱ロッドに対して被施術者の頭髪を巻き付ける工程と、電熱ロッドを発熱させる工程とを含むものである。
まず、被施術者の頭髪を一定量だけ整え、整えられた頭髪に所定量のカーリング剤を塗布する。そして、頭髪を電熱ロッドに必要な分量巻き付け、電熱ロッドの両側端部に位置する切欠部の両側へゴムバンドを引掛けるなどして、頭髪を電熱ロッドへ固定する。この際、ロッドペーパーをあてがったり、頭髪を巻いた電熱ロッドをクリップで止めたりしても良い。
【００２１】
その後、電熱ロッドに電源を接続して通電することにより、電熱ロッドから熱を発生する。この熱が電熱ロッドに巻かれた頭髪に伝達されることにより、頭髪の水分を蒸発させると共に、頭髪にウェーブが形成される。
ここで、電熱ロッドにおいて、ケース部１の内周面１２に対し、ヒータ部２が沿うように当接しており、ずれ止め部３の形成により、この当接した状態が安定して維持されているため、ヒータ部２の発熱体２１から発生する熱が均一に電熱ロッドの表面に伝達される。よって、電熱ロッドの外周面の温度分布が均一となるため、むらなく頭髪にウェーブを形成させることができる。
【００２２】
【発明の効果】
本願発明の効果としては、ずれ止め部を形成することにより、ヒータ部の一方端部の位置と他方端部の位置との関係を一定に保持でき、ケース部の内周面とヒータ部とが当接した状態を長期にわたって維持することができる。これにより外周面における温度分布にばらつきが発生せず、従来よりも長寿命な電熱ロッドを提供することができる。
【図面の簡単な説明】
【図１】本願発明の実施の形態の一例に係る電熱ロッドの分解斜視図である。
【図２】（Ａ）は、本例における電熱ロッドの断面視の説明図であり、（Ｂ）は、本例の電熱ロッドに用いるヒータ部の斜視図である。
【図３】（Ａ）〜（Ｃ）共、本願発明の実施の形態の他の一例に係る電熱ロッドの断面視の説明図である。
【図４】（Ａ）（Ｂ）共、従来の電熱ロッドの断面視の説明図である。
【符号の説明】
１        ケース部
１２      内周面
２        ヒータ部
２ａ      ヒータ部の端部
２１      発熱体
３        ずれ止め部
【図１】
2005000402.tif 000003
【図２】
2005000402.tif 000004
【図３】
2005000402.tif 000005
【図４】
2005000402.tif 000006